(57)【特許請求の範囲】
【請求項１】
ＯＣＴ光源からの光を測定光と参照光とに分割し、前記測定光を被検眼に照射し、その戻り光と前記参照光との干渉光を検出する干渉光学系と、前記測定光を所定の偏向角度範囲内で偏向する走査光学系と、前記被検眼の眼底に固視標を投影するための固視系とを含み、前記走査光学系により偏向された前記測定光を前記被検眼の後眼部に照射可能な光学ユニットと、
前記被検眼の瞳位置又はその近傍位置を基準に前記光学ユニットを所定の移動角度範囲内で移動させる移動機構と、
前記走査光学系と前記移動機構とを連係して制御する制御部と、
を含む眼科撮影装置。
【請求項２】
前記移動機構は、前記瞳位置又はその近傍位置を中心に前記光学ユニットを旋回させる
ことを特徴とする請求項１に記載の眼科撮影装置。
【請求項３】
前記制御部は、前記測定光を偏向するための既定の偏向パターンに基づいて前記走査光学系の制御を行い、前記光学ユニットを移動させるための既定の移動パターンに基づいて前記移動機構の制御を行う
ことを特徴とする請求項１又は請求項２に記載の眼科撮影装置。
【請求項４】
前記制御部は、前記偏向パターンに基づき前記走査光学系を制御することにより前記測定光を１次元的又は２次元的に偏向させる
ことを特徴とする請求項３に記載の眼科撮影装置。
【請求項５】
前記制御部は、前記後眼部における複数の領域を順次に走査するように前記走査光学系と前記移動機構とを連係して制御する
ことを特徴とする請求項４に記載の眼科撮影装置。
【請求項６】
前記干渉光の検出結果に基づいて画像を形成する画像形成部を含み、
前記制御部は、前記走査光学系の制御と前記移動機構の制御とを交互に実行することにより、前記走査光学系の制御を少なくとも２回実行し、前記移動機構の制御を少なくとも１回実行し、
前記画像形成部は、前記少なくとも２回の前記走査光学系の制御により前記干渉光学系によって取得された少なくとも２つのデータセットに基づいて少なくとも２つの画像を形成し、
前記画像形成部により形成された前記少なくとも２つの画像の相対位置を前記移動機構の制御内容に基づいて決定する画像位置決定部を含む
ことを特徴とする請求項１〜請求項５のいずれか一項に記載の眼科撮影装置。
【請求項７】
前記画像位置決定部により決定された前記相対位置に基づいて前記少なくとも２つの画像を合成する画像合成部を含む
ことを特徴とする請求項６に記載の眼科撮影装置。
【請求項８】
前記制御部は、前記移動機構の制御内容に応じて前記固視標の投影位置を変更するように前記固視系を制御する
ことを特徴とする請求項１〜請求項７のいずれか一項に記載の眼科撮影装置。
【発明の詳細な説明】
【技術分野】
【０００１】
本発明は、眼科撮影装置に関する。
【背景技術】
【０００２】
眼疾患のスクリーニングや治療などを行うための眼科撮影装置には、簡便に広い視野で被検眼の眼底などの観察や撮影が可能なものが求められている。このような眼科撮影装置として、走査型レーザー検眼鏡が知られている。走査型レーザー検眼鏡は、レーザー光で眼底をスキャンし、その戻り光を受光デバイスで検出することにより、眼底の正面画像を形成する装置である。
【０００３】
例えば、特許文献１には、被検眼が配置される被検眼位置に向けて、スリット鏡と主鏡とにより見かけ上の点光源を伝達するように構成された走査型レーザー検眼鏡が開示されている。
【先行技術文献】
【特許文献】
【０００４】
【特許文献１】特許第５３３０２３６号
【発明の概要】
【発明が解決しようとする課題】
【０００５】
しかしながら、特許文献１に開示された手法では、反射光学系により広角の画像を形成するため、光学素子の配置の自由度が低く、より一層の画質の向上を図るために光学素子の配置を変更することが難しい。また、反射光学系の光学素子の収差特性により、簡便に高品質の画像を取得することは困難である。特に、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて被検眼の断層像を形成する場合には、光学素子の収差特性の影響により、被検眼について高画質で広角の断層像を取得することは非常に困難である。
【０００６】
本発明は、上記の問題点を解決するためになされたものであり、被検眼について高画質で広角の断層像を取得することが可能な技術を提供することを目的とする。
【課題を解決するための手段】
【０００７】
実施形態に係る眼科撮影装置は、光学ユニットと、移動機構と、制御部とを含む。光学ユニットは、ＯＣＴ光源からの光を測定光と参照光とに分割し、測定光を被検眼に照射し、その戻り光と参照光との干渉光を検出する干渉光学系と、測定光を所定の偏向角度範囲内で偏向する走査光学系と、被検眼の眼底に固視標を投影するための固視系とを含み、走査光学系により偏向された測定光を被検眼の後眼部に照射可能である。移動機構は、被検眼の瞳位置又はその近傍位置を基準に光学ユニットを所定の移動角度範囲内で移動させる。制御部は、走査光学系と移動機構とを連係して制御する。
【発明の効果】
【０００８】
この発明によれば、被検眼について高画質で広角の断層像を取得することが可能となる。
【図面の簡単な説明】
【０００９】
【図１】実施形態に係る眼科撮影装置の構成の一例を表す概略図である。
【図２】実施形態に係る眼科撮影装置の動作説明図である。
【図３】実施形態に係る眼科撮影装置の動作説明図である。
【図４】実施形態に係る眼科撮影装置の動作例を表すフロー図である。
【図５】実施形態に係る眼科撮影装置の動作説明図である。
【図６】実施形態に係る眼科撮影装置の構成の他の一例を表す概略図である。
【発明を実施するための形態】
【００１０】
実施形態に係る眼科撮影装置について、図面を参照しながら詳細に説明する。実施形態に係る眼科撮影装置は、光源からの光又は当該光に基づく測定光を偏向する走査光学系を含む光学ユニットを被検眼の瞳孔を基準に移動させることにより、瞳孔を通して光を被検眼の後眼部（眼底、硝子体等）の広い範囲に照射することが可能な装置である。このような構成は、後眼部に光を照射することが可能な任意の眼科撮影装置に適用することができる。後眼部に光を照射することが可能な眼科撮影装置には、例えば、レーザー光を眼底における治療部位に照射するためのレーザー治療装置や、被検眼に固視させた状態で視標を移動させながら被検者の応答に基づき視野を測定するための視野計などがある。
【００１１】
また、実施形態に係る眼科撮影装置は、さらに、被検眼の後眼部からの戻り光を受光することにより当該後眼部における所定データの分布（画像や層厚分布や病変分布など）を形成することが可能である。このような構成は、後眼部を光で走査してデータを取得可能な任意の眼科撮影装置に適用することができる。後眼部を光で走査してデータを取得可能な眼科撮影装置には、例えば、ＯＣＴを用いて眼底の断層像を得る光干渉断層計や、共焦点光学系を用いたレーザー走査により眼底の正面画像を得る走査型レーザー検眼鏡（Ｓｃａｎｎｉｎｇ  Ｌａｓｅｒ  Ｏｐｈｔｈａｌｍｏｓｃｏｐｅ：以下、ＳＬＯ）や、光干渉断層計の機能と走査型レーザー検眼鏡の機能とを組み合わせた複合機などがある。以下、実施形態に係る眼科撮影装置が、主として、光干渉断層計の機能を有する場合について説明する。
【００１２】
［構成］
図１に、この実施形態に係る眼科撮影装置の概略構成の機能ブロック図を示す。
【００１３】
眼科撮影装置１は、ＯＣＴ光源からの光に基づく測定光で被検眼Ｅの後眼部をスキャンしてデータを取得し、この取得されたデータに基づいて眼底Ｅｆの断層像を形成する装置である。眼科撮影装置１は、測定ユニット１００と、処理ユニット２００とを有する。測定ユニット１００は、眼底Ｅｆの光学的な観察や眼底Ｅｆの光学的な計測を行うために用いられる。処理ユニット２００は、測定ユニット１００により取得されたデータの処理や、装置各部の制御などを行う。
【００１４】
（測定ユニット）
測定ユニット１００は、光学ユニット１１０と、移動機構１２０と、駆動部１３０と、ＯＣＴ光源１４０と、固視系１５０と、固視標制御部１６０と、アライメント系１７０とを備えている。測定ユニット１００は、被検眼Ｅの瞳位置Ｐ（又は、後述の瞳位置Ｐの近傍位置）を基準に移動可能に構成された光学ユニット１１０により被検眼Ｅの瞳孔を通してＯＣＴ光源１４０からの光に基づく測定光を被検眼Ｅの後眼部に照射する。測定ユニット１００は、被検眼Ｅの後眼部に照射された測定光の戻り光を受光することにより取得されたデータを処理ユニット２００に送る。
【００１５】
光学ユニット１１０は、ＯＣＴ光学系１１１を備えている。ＯＣＴ光学系１１１は、フーリエドメインタイプのＯＣＴを実行するための光学系を備えている。この実施形態では、ＯＣＴ光学系１１１がスウェプトソースタイプのＯＣＴの光学系を備えているものとして説明するが、スウェプトソースタイプ以外のタイプ、例えばスペクトラルドメインタイプのＯＣＴの光学系を備えていてもよい。
【００１６】
ＯＣＴ光学系１１１は、干渉光学系と、走査光学系とを含む。干渉光学系は、ＯＣＴ光源１４０からの光を測定光と参照光とに分割し、測定光を被検眼Ｅに照射し、その戻り光と参照光との干渉光を検出する。このような干渉光学系には、例えば、第１ファイバーカプラと、第２ファイバーカプラと、光路長変更部と、検出器とが設けられる。第１ファイバーカプラは、ＯＣＴ光源１４０からの光を測定光と参照光とに分割し、かつ、被検眼Ｅを経由した測定光の戻り光を第２ファイバーカプラに導く。光路長変更部は、第１ファイバーカプラにより分割された参照光の光路長を変更する。第２ファイバーカプラは、第１ファイバーカプラにより導かれた測定光の戻り光と、光路長変更部により光路長が変更された参照光とを干渉させることにより干渉光を生成する。検出器は、第２ファイバーカプラにより生成された干渉光を検出する。検出器は、ＯＣＴ光源１４０から出力される光に応じて、可視領域や赤外領域に感度を有する受光素子が用いられる。検出器による干渉光の検出結果は、取得データとして処理ユニット２００に送られる。
【００１７】
走査光学系は、干渉光学系からの測定光を所定の偏向角度範囲内で偏向する。この実施形態では、走査光学系は、測定光を所定の偏向角度範囲内で２次元的に偏向するが、測定光を所定の偏向角度範囲内で１次元的に偏向するよう構成されてもよい。このような走査光学系は、光スキャナーを含んでもよい。光スキャナーには、１軸又は互いに直交する２軸の偏向部材が用いられる。偏向部材の例として、ガルバノミラー、ポリゴンミラー、回転ミラー、ダボプリズム（Ｄｏｖｅ  Ｐｒｉｓｍ）、ダブルダボプリズム（Ｄｏｕｂｌｅ  Ｄｏｖｅ  Ｐｒｉｓｍ）、ローテーションプリズム（Ｒｏｔａｔｉｏｎ  Ｐｒｉｓｍ）、ＭＥＭＳ（Ｍｉｃｒｏ  Ｅｌｅｃｔｒｏ  Ｍｅｃｈａｎｉｃａｌ  Ｓｙｓｔｅｍｓ）ミラースキャナーなどがある。
【００１８】
光学ユニット１１０又はＯＣＴ光学系１１１には、走査光学系により偏向された測定光を被検眼Ｅの後眼部（例えば、眼底Ｅｆ）に照射するための光学素子（例えば、対物レンズ、ビームエキスパンダー、コリメートレンズ、合焦レンズなど）が設けられている。
【００１９】
なお、光学ユニット１１０は、さらに、ＯＣＴ光源１４０及び固視系１５０のうち少なくとも１つを含んで構成されていてもよい。
【００２０】
移動機構１２０は、被検眼Ｅの瞳位置Ｐを基準に光学ユニット１１０を所定の移動角度範囲内で移動させる。ここで、光学ユニット１１０の光軸が被検眼Ｅの正面側から瞳位置Ｐを通る場合に、当該光軸に直交する平面をｘｙ平面（ｘ方向は水平方向、ｙ方向は垂直方向）とし、当該光軸に平行な眼底方向をｚ方向とする。瞳位置Ｐには、瞳に実際に相当する位置だけでなく、後眼部の走査を妨げない範囲において瞳位置Ｐからｘ，ｙ及び／又はｚ方向に変位した位置（近傍位置）も含まれる。以下、この明細書において、特に「近傍位置」を明示したときを除いて単純に「瞳位置」と表記した場合は、瞳位置又はその近傍位置を意味するものとする。
【００２１】
この実施形態では、移動機構１２０は、被検眼Ｅの瞳位置Ｐを中心に光学ユニット１１０を所定の移動角度範囲内で３次元的に旋回させる。このような移動機構１２０は、例えば、光学ユニット１１０を保持する１以上の保持部材と、上記の移動角度範囲の任意の位置に移動可能に設けられた１以上のガイドアームとを含んで構成される。ガイドアームは、スライド可能な状態で保持部材を保持する。
【００２２】
なお、移動機構１２０は、被検眼Ｅの瞳位置Ｐを通る光学ユニット１１０の光軸に直交する平面内で２次元的に移動させるようにしてもよい。
【００２３】
駆動部１３０は、後述の処理ユニット２００の制御部２１０からの制御を受け、移動機構１２０を駆動する。駆動部１３０は、移動機構１２０を移動させるための駆動力を発生させるアクチュエータを含む。後述の制御部２１０からの制御信号を受けたアクチュエータは、この制御信号に応じた駆動力を発生させる。この駆動力は、図示しない駆動力伝達機構を介して移動機構１２０に伝達され、制御信号により指示された位置に配置されるように移動機構１２０を移動させる。これにより、光学ユニット１１０を所望の位置に移動させることが可能となる。
【００２４】
ＯＣＴ光源１４０は、広帯域光（又は低コヒーレンス光）であるレーザー光を出力するスーパールミネセントダイオード（ＳＬＤ）や発光ダイオード（ＬＥＤ）等の広帯域光源により構成されている。なお、ＯＣＴ光源１４０として、複数の光源を光ファイバ合波器やダイクロイックミラーなどの合波器により合成して用いるものを適用することも可能である。この実施形態では、光ファイバによりレーザー光を光学ユニット１１０に導く。例えば、光ファイバのジョイント部には、光学ユニット１１０の移動に起因した捻れや引っ張りなどのストレスを低減する手段が設けられている。
【００２５】
固視系１５０は、内部固視及び外部固視の少なくとも一方を実現するための構成を有する。内部固視を実現する場合、固視系１５０は、被検眼Ｅの眼底Ｅｆに固視標を投影するための光学系を含んで構成される。固視標は、被検眼Ｅを固視させるための視標である。固視系１５０は、少なくとも可視光を出力する固視光源を含む。固視系１５０により形成された光路は、例えば、瞳位置Ｐと光学ユニット１１０（対物レンズ）との間に設けられたダイクロイックミラーにより、光学ユニット１１０により形成された光路に合成される。内部固視を実現する場合、固視系１５０は、光学ユニット１１０内に設けられてもよい。
【００２６】
外部固視を実現する場合、固視系１５０は、例えば、光学ユニット１１０の筐体に設けられる。固視系１５０は、例えば、一端が光学ユニット１１０に固定され関節部を介して互いに接続された２以上のアームの他端にＬＥＤ等の発光部が設けられた構成を有する。外部固視を実現する場合、固視系１５０は、測定ユニット１００の筐体に設けられ、光学ユニット１１０とともに移動しないように構成されていてもよい。
【００２７】
固視系１５０が内部固視を実現する場合、固視標制御部１６０により、光学ユニット１１０の移動に伴い固視標の投影位置を移動させることが可能である。固視系１５０が内部固視及び外部固視の双方を実現する場合、固視標制御部１６０により、上記の構成を用いて内部固視と外部固視とを連係させることが可能である。内部固視と外部固視とを連係させる例として、測定光のスキャン領域内に黄斑部が含まれているときには内部固視により被検眼に固視させ、当該スキャン領域内に黄斑部が含まれないときには外部固視により被検眼に固視させる。
【００２８】
また、固視系１５０が、例えば２つ（以上）の内部固視を実現するための構成（光学系）を有していてよい。この場合、固視系１５０は、光学ユニット１１０の内部に設けられ第１内部固視を実現するための構成と、光学ユニット１１０の外部に設けられた第２内部固視を実現するための構成とを有することが可能である。２つの内部固視を連係させる例として、測定光のスキャン領域内に黄斑部が含まれているときには第１内部固視（光学ユニット１１０の内部）により被検眼に固視させ、当該スキャン領域内に黄斑部が含まれないときには第２内部固視（光学ユニット１１０の外部）により被検眼に固視させる。
【００２９】
固視標制御部１６０は、後述の処理ユニット２００の制御部２１０からの制御を受け、固視系１５０を制御する。固視標制御部１６０は、例えば、制御部２１０からの制御を受け、固視光源（内部固視用や外部固視用）の点灯及び消灯を制御したり、眼底Ｅｆにおける固視標の投影位置（固視位置）を移動させたりすることが可能である。
【００３０】
アライメント系１７０は、例えば、ＸＹアライメント検出用光源と、ＸＹアライメントセンサーと、Ｚアライメント検出用光源と、Ｚアライメントセンサーとを含んで構成される。ＸＹアライメント光源からのＸＹアライメント検出用光は、被検眼Ｅの角膜に平行光束として導かれる。その角膜には、ＸＹアライメント検出用光の角膜反射による輝点像（虚像）が形成される。角膜で反射されたＸＹアライメント検出用光は、ＸＹアライメントセンサーにより検出される。ＸＹアライメントセンサーにより得られた検出信号は、後述の制御部２１０に送られる。制御部２１０は、この検出信号から被検眼Ｅの角膜に形成された輝点像の位置を特定し、ｘ方向及びｙ方向の光学ユニット１１０に対する位置ずれを検出する。
【００３１】
Ｚアライメント検出用光源からのＺアライメント検出用光は、被検眼Ｅの角膜に投影される。その角膜にはＺアライメント検出用光の角膜反射による輝点像（虚像）が形成される。角膜で反射されたＺアライメント検出用光は、Ｚアライメントセンサーにより検出される。Ｚアライメントセンサーにより得られた検出信号は、後述の制御部２１０に送られる。制御部２１０は、この検出信号から被検眼Ｅの角膜に形成された輝点像の位置を特定し、ｚ方向の光学ユニット１１０に対する位置ずれを検出する。
【００３２】
また、上記のＸＹアライメント及びＺアライメントの少なくとも一方は、測定ユニット１００に設けられた１以上のカメラを用いて行われてもよい。この場合、１以上のカメラにより撮影された画像に基づいて被検眼Ｅの位置を求めることで、ｘ方向、ｙ方向及びｚ方向の少なくとも１つの位置ずれが検出される。なお、２以上のカメラが設けられている場合には、異なる方向から実質的に同時に撮影された画像に基づいて被検眼Ｅの３次元位置を求めることで、ｘ方向、ｙ方向及びｚ方向の少なくとも１つの位置ずれが検出される。
【００３３】
制御部２１０は、検出されたｘ方向、ｙ方向及びｚ方向の位置ずれをキャンセルするように光学ユニット１１０を移動させることによりアライメントを行う。
【００３４】
なお、測定ユニット１００は、フォーカス光学系を含み、眼底Ｅｆに対してフォーカス（ピント）を合わせるための指標（スプリット指標）を生成することが可能である。この場合、フォーカス光学系から出力された光（フォーカス光）は、眼底Ｅｆに投影され、その眼底反射光が、図示しないセンサーにより検出される。制御部２１０は、このセンサーにより得られた検出信号からスプリット指標の位置を解析して、例えば、光学ユニット１１０に含まれる合焦レンズを移動させてピント合わせを行うことが可能である（オートフォーカス機能）。
【００３５】
以上のような構成を有する測定ユニット１００において、ＯＣＴ光源１４０から出力された光に基づいて生成された測定光は、移動機構１２０により移動された光学ユニット１１０により２次元的に偏向され、光学ユニット１１０の光軸方向から被検眼Ｅの瞳孔を通過して眼底Ｅｆに照射される。被検眼Ｅに入射した測定光は、被検眼Ｅの前眼部にて散乱される。また、被検眼Ｅに入射した測定光の一部は、瞳孔を通過し、眼底Ｅｆにスポット光として結像される。
【００３６】
眼底Ｅｆに照射された測定光の戻り光は、スポット光の形成位置（及びその近傍位置）から光学ユニット１１０に戻ってくる光である。戻り光は、瞳孔を通過し、被検眼Ｅから出射する。
【００３７】
光学ユニット１１０において、被検眼Ｅからの戻り光は、ＯＣＴ光学系１１１に導かれる。ＯＣＴ光学系１１１に導かれた戻り光は、上記の受光素子により検出される。受光素子は、検出された戻り光を光電変換し、電気信号（受光信号）を出力する。
【００３８】
以上のプロセスは、眼底Ｅｆの一点の計測に相当し、眼底Ｅｆに対する単一のスポット光の照射領域における計測に相当する。この実施形態では、移動機構１２０により光学ユニット１１０を瞳位置Ｐを中心に（１次元的、２次元的又は３次元的に）旋回しつつ、この光学ユニット１１０内のＯＣＴ光学系１１１の走査光学系による（１次元的又は２次元的な）偏向を行うことによって、眼底Ｅｆにおけるスポット光の照射領域が移動される。つまり、この実施形態では、移動機構１２０による光学ユニット１１０の旋回と、走査光学系による偏向とを組み合わせることにより、眼底Ｅｆのスキャンが実行される。
【００３９】
図２に、この実施形態に係るスポット光の照射領域の説明図を示す。図２は、移動機構１２０により旋回された光学ユニット１１０の各位置における走査光学系によるスポット光の照射領域の説明図を模式的に表したものである。
【００４０】
この実施形態では、全スキャン領域を複数のサブスキャン領域に分割し、各サブスキャン領域内で走査光学系によりスポット光の照射位置を移動させることにより、広範囲にわたる全スキャン領域に対してスキャンを行う。換言すると、この実施形態では、複数のサブスキャン領域をそれぞれスキャンすることにより広範囲にわたるスキャンが実現される。各サブスキャン領域は、後述の偏向パターンに従ってスキャンされる。サブスキャン領域間の移動は、光学ユニット１１０の移動により行われる。サブスキャン領域間の移動は、後述の移動パターンに従って行われる。
【００４１】
走査光学系は、上記のように所定の偏向角度範囲内で測定光を偏向する。この偏向角度範囲が、走査光学系の偏向中心を基準に、水平方向（例えば、ｘ方向）に偏向角度範囲θＨ１とし、垂直方向（例えば、ｙ方向）に偏向角度範囲θＶ１とする。光学ユニット１１０の各位置における走査光学系によるスポット光の照射領域は、図２に示すように、水平方向の偏向角度範囲が±θＨ１であり、垂直方向の偏向角度範囲が±θＶ１となる。
【００４２】
また、光学ユニット１１０は、上記のように、被検眼Ｅの瞳位置Ｐを中心に所定の移動角度範囲内で旋回される。この移動角度範囲が、水平方向（例えば、ｘ方向）に移動角度範囲θＨ２とし、垂直方向（例えば、ｙ方向）に移動角度範囲θＶ２とする。スポット光の照射領域は、図２に示すように、水平方向の角度範囲がθＨ＝θＨ２＋２・θＨ１となり、垂直方向の角度範囲がθＶ＝θＶ２＋２・θＶ１となる。
【００４３】
従って、眼科撮影装置１によれば、水平方向の角度範囲がθＨであり、垂直方向の角度範囲がθＶである範囲内でスキャンが可能となり、当該範囲内のデータの取得が可能となる。例えば、θＨ１として２０度〜８０度が可能であるためθＨ１を６０度とし、θＨ２が４０度とすると、水平方向に１６０度の範囲でデータの取得（画像の取得）が可能である。同様に、θＶ１として２０度〜８０度が可能であるためθＶ１を４０度とし、θＶ２が４０度とすると、垂直方向に１２０度の範囲でデータの取得（画像の取得）が可能である。コストやワーキングディスタンスを勘案して、θＨ１、θＨ２、θＶ１、θＶ２を決定することが望ましい。
【００４４】
（処理ユニット）
処理ユニット２００は、演算装置、制御装置、記憶装置（ＲＡＭ、ＲＯＭ、ハードディスクドライブなど）、ユーザインターフェイス、通信インターフェイスなどを有する。この実施形態では、図１に示すように、処理ユニット２００は、制御部２１０と、画像形成部２２０と、データ処理部２３０と、ユーザインターフェイス（Ｕｓｅｒ  Ｉｎｔｅｒｆａｃｅ：ＵＩ）２４０とを含む。
【００４５】
制御部２１０は、装置各部の制御を行う。制御部２１０は、マイクロプロセッサ及び記憶装置を含んで構成される。記憶装置には、眼科撮影装置１を制御するためのコンピュータプログラムがあらかじめ格納される。このコンピュータプログラムには、光源制御用プログラム、光学ユニット制御用プログラム（走査光学系制御用プログラムを含む）、移動機構制御用プログラム、アライメント制御用プログラム、統括制御用プログラムなどが含まれる。このようなコンピュータプログラムに従ってマイクロプロセッサが動作することにより、制御部２１０は制御処理を実行する。
【００４６】
測定ユニット１００に対する制御として、ＯＣＴ光源１４０の制御、光学ユニット１１０の制御、駆動部１３０を介した移動機構１２０の制御、固視標制御部１６０の制御、アライメント系１７０の制御などがある。光学ユニット１１０の制御には、ＯＣＴ光学系１１１の制御（光路長変更部の制御、受光素子の制御、走査光学系の偏向制御）などがある。特に、制御部２１０は、走査光学系と移動機構１２０とを連係して制御する。処理ユニット２００に対する制御として、各部の動作制御がある。
【００４７】
（連係制御）
走査光学系と移動機構１２０とを連係して制御する例として、制御部２１０は、次のような制御を行うことが可能である。制御部２１０の記憶装置には、測定光を偏向するための既定の偏向パターンと、光学ユニット１１０を移動させるための既定の移動パターンとがあらかじめ記憶されている。偏向パターンや移動パターンは、デフォルト設定されてもよいし、ユーザにより設定されてもよい。また、複数の偏向パターンや複数の移動パターンを選択的に適用することが可能である。制御部２１０は、記憶装置に記憶された既定の偏向パターンに基づいて走査光学系の制御を行い、記憶装置に記憶された既定の移動パターンに基づいて移動機構１２０の制御を行う。
【００４８】
例えば、制御部２１０は、移動パターンに基づく移動機構１２０の制御と偏向パターンに基づく走査光学系の制御とを交互に実行することが可能である。すなわち、制御部２１０は、偏向パターンに基づいて被検眼Ｅの眼底Ｅｆにおける各サブスキャン領域をスキャンしつつ、移動パターンに基づいて複数のサブスキャン領域を順次に走査するように走査光学系と移動機構１２０とを連係して制御する。また、例えば、制御部２１０は、移動パターンに基づく移動機構１２０の制御と偏向パターンに基づく走査光学系の制御とを並行して行うことが可能である。
【００４９】
また、制御部２１０は、偏向パターンに基づいて走査光学系を制御することにより、被検眼Ｅの後眼部の所定領域の走査態様を変更することが可能である。例えば、制御部２１０は、偏向パターンに基づき走査光学系を制御することにより、被検眼Ｅの後眼部の矩形領域を走査するように測定光の照射位置を移動させることが可能である。
【００５０】
図３に、この実施形態に係る走査態様の一例を示す。図３は、視神経乳頭Ｎと黄斑部Ｈとを含む被検眼Ｅの眼底Ｅｆの所定領域ＡＲ内を複数のサブスキャン領域に分けて走査する様子を模式的に表したものである。
【００５１】
制御部２１０は、既定の移動パターンに従って移動機構１２０を制御することにより、サブスキャン領域ＳＲ１、ＳＲ２、ＳＲ３、・・・を順次に移動させる。このとき、移動パターンにより、移動前のサブスキャン領域の一部に重複するように次のサブスキャン領域に移動させる（重複エリアＣＲ１、ＣＲ２、・・・）。サブスキャン領域毎に得られた画像から全スキャン領域の画像を形成する場合に、重複エリアは、画像同士の位置合わせに用いられる。制御部２１０は、偏向パターンに基づいて、各サブスキャン領域（被検眼Ｅの後眼部の所定領域）をラスター走査するように測定光の照射位置を移動させる。
【００５２】
また、制御部２１０は、偏向パターンに基づいて、被検眼Ｅの後眼部の所定領域をサークル走査するように測定光の照射位置を移動させることが可能である。また、制御部２１０は、偏向パターンに基づき走査光学系を制御することにより測定光を１次元的に偏向させることが可能である（スリット状走査）。
【００５３】
（その他の制御）
固視標制御部１６０の制御の例として、制御部２１０は、所定位置を固視するように固視標を投影させる。また、固視系１５０が光学ユニット１１０内に設けられた場合、制御部２１０は、移動機構１２０の移動による光学ユニット１１０の光軸の移動（眼底Ｅｆにおけるスポット光の照射位置の変位）をキャンセルするように固視位置を移動させることが可能である。また、制御部２１０は、走査光学系によるスキャン領域が黄斑部を含むときには内部固視標により被検眼Ｅを所定方向に固視させ、走査光学系によるスキャン領域が黄斑部を含まないときには内部固視標を消灯させることが可能である。また、内部固視標と外部固視標（外部固視灯）の双方が設けられている場合において、走査光学系によるスキャン領域が黄斑部を含まないときには外部固視標により被検眼Ｅを所定方向に固視させるようにしてもよい。
【００５４】
また、制御部２１０は、被検眼Ｅの眼底Ｅｆの動きを監視しつつ眼底Ｅｆの所定部位が画像（フレーム）中の一定の位置に描出されるように眼球運動を補償するトラッキング制御を行うようにしてもよい。また、制御部２１０は、取得されたデータを解析して画像間（フレーム間）における描出位置のずれを補正することにより事後的にトラッキングを行うようにしてもよい。また、制御部２１０は、被検眼Ｅの視線方向の検知を行い、視線の動きによる位置ずれをキャンセルするようにトラッキング制御を実行してもよい。
【００５５】
眼底Ｅｆの光学的計測が行われているときに、又は光学的計測が終了した後に、制御部２１０は、画素位置信号を生成し、データ処理部２３０に送る。画素位置信号は、光学ユニット制御用プログラムに基づく複数のスポット光の照射領域の配置（つまり、走査光学系による光の偏向パターン）に対応する複数の画素の配置を示す。
【００５６】
（画像形成部）
画像形成部２２０は、ＯＣＴ光学系１１１による干渉光の検出結果に基づいて被検眼Ｅの眼底Ｅｆの断層像（ＯＣＴ画像）の画像データを形成する。具体的には、画像形成部２２０は、Ａスキャンライン毎に、検出器による検出結果に基づくスペクトル分布にフーリエ変換等を施すことで断層像を形成する。この処理には、従来のスウェプトソースタイプのＯＣＴと同様に、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光の経路）における反射強度プロファイルを画像化することにより形成された一群の画像データを含むデータセットである。
【００５７】
移動パターンに基づく移動機構１２０の制御と偏向パターンに基づく走査光学系の制御とを交互に実行する場合、制御部２１０は、走査光学系の制御を少なくとも２回実行し、移動機構１２０の制御を少なくとも１回実行する。画像形成部２２０は、少なくとも２回の走査光学系の制御により干渉光学系により取得された少なくとも２つのデータセットに基づいて、上記のように少なくとも２つの画像を形成することが可能である。画質を向上させるために、同じパターンでのスキャンを複数回繰り返して収集された複数のデータセットを重ね合わせる（加算平均する）ことができる。
【００５８】
また、制御部２１０は、リアルタイムにデータを取得するように走査光学系及び移動機構１２０の制御を行うことが可能である。この場合、画像形成部２２０は、走査光学系の制御により干渉光学系により取得されたデータセットに基づいて、リアルタイムに画像を形成する。
【００５９】
画像形成部２２０は、Ａスキャン画像、Ｂスキャン画像、正面画像、３次元画像などを形成することが可能である。正面画像の例として、Ｃスキャン画像、プロジェクション画像、平坦化画像、又はシャドウグラムなどがある。また、画像形成部２２０は、眼底Ｅｆの動的特性を抽出した画像、断層像、正面画像、３次元画像などを形成することが可能である。
【００６０】
（データ処理部）
データ処理部２３０は、画像形成部２２０により形成されたＯＣＴ画像に対して各種のデータ処理（画像処理）や解析処理や画像合成処理を施す。例えば、データ処理部２３０は、画像の輝度補正や分散補正等の補正処理を実行することが可能である。
【００６１】
データ処理部２３０は、画像位置決定部２３１と、画像合成部２３２とを含む。画像位置決定部２３１は、複数のサブスキャン領域に対するスキャンにより得られた眼底Ｅｆの複数の断層像の相対位置を決定する。サブスキャン領域間の移動は、上記のように制御部２１０が移動パターンに基づいて移動機構１２０を制御することにより行われる。画像位置決定部２３１は、このような移動機構１２０に対する制御部２１０の制御内容からサブスキャン領域間の移動量及び移動方向を特定することが可能である。画像位置決定部２３１は、特定された移動量及び移動方向に基づいて、複数のサブスキャン領域のそれぞれをスキャンすることにより得られた複数の断層像の相対位置を決定する。また、画像位置決定部２３１は、眼底Ｅｆの特徴部位の移動内容（移動量及び移動方向）を解析することにより眼球の回転方向及び移動量を特定することが可能である。画像位置決定部２３１は、特定されたサブスキャン領域間の移動量及び移動方向と、特定された眼球の回転方向及び移動量とに基づいて、複数の断層像の相対位置を決定してもよい。
【００６２】
画像合成部２３２は、画像位置決定部２３１により決定された相対位置に基づいて、上記の少なくとも２つの断層像を合成する。このとき、画像合成部２３２は、後述のように位置合わせを行って２つの断層像を合成することが可能である。
【００６３】
データ処理部２３０は、断面像の間の画素を補間する補間処理などの公知の画像処理を実行することにより、眼底Ｅｆの２次元画像又は３次元画像の画像データを形成する。なお、３次元画像の画像データとは、３次元座標系により画素の位置が定義された画像データを意味する。３次元画像の画像データとしては、３次元的に配列されたボクセルからなる画像データがある（図２参照）。この画像データは、ボリュームデータ或いはボクセルデータなどと呼ばれる。
【００６４】
ボリュームデータに基づく画像を表示させる場合、データ処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。データ処理部２３０は、部位や特徴量（例えば、眼底Ｅｆの層の厚さ、形状、位置の少なくとも１つを用いて算出された数値）や眼底Ｅｆの表面からの深度に応じて色分けされた画像データを形成することが可能である。また、データ処理部２３０は、ボリュームデータを所定の平面や球面（眼底Ｅｆの形状に応じた球面）に投影した画像データを形成してもよい。例えば、データ処理部２３０は、ボリュームデータの所望の深さ位置のデータを投影したり、所望の層、血管等の部位を投影したりすることが可能である。
【００６５】
例えば、データ処理部２３０は、サブスキャン領域毎にボリュームデータを作成する。データ処理部２３０は、画像合成部２３２において、サブスキャン領域毎に作成された複数のボリュームデータの位置合わせを行うことにより全スキャン領域のボリュームデータを作成する。データ処理部２３０は、サブスキャン領域間の重複エリアにおける特徴部位が一致するようにボリュームデータ間の位置合わせを行うことが可能である。また、データ処理部２３０は、所定の平面に眼底Ｅｆの特徴部位（層や血管）を投影した画像に基づいてボリュームデータ間の位置合わせを行ってもよい。データ処理部２３０は、複数のサブスキャン領域においてｚ方向（眼底Ｅｆへの測定光の入射方向）が同一方向であるものとして複数のボリュームデータを合成して全スキャン領域のボリュームデータを作成することが可能である。また、実際にはサブスキャン領域毎に眼底Ｅｆへの測定光の入射方向が異なるため、データ処理部２３０は、サブスキャン領域毎にｚ方向が異なるように複数のボリュームデータを合成して全スキャン領域のボリュームデータを作成してもよい。或いは、眼底Ｅｆにおける所定部位におけるｚ方向と一致するように複数のボリュームデータに対して座標変換を施し、座標変換が行われた複数のボリュームデータを合成して全スキャン領域のボリュームデータを作成してもよい。
【００６６】
また、制御部２１０は、ＯＣＴ光学系１１１が備えている合焦レンズをその光軸に沿って移動することで、被検眼Ｅのｚ方向における測定光の合焦位置を変更することが可能である。この場合、画像形成部２２０は、ｚ方向のそれぞれの合焦位置で取得された干渉光の検出結果に基づいて被検眼Ｅの眼底Ｅｆの断層像の画像データを形成する。画像位置決定部２３１は、形成された２つの画像データ（又はボリュームデータ）のｚ方向の相対位置を決定する。画像合成部２３２は、決定されたｚ方向の相対位置に基づいて、合焦位置が異なる上記の２つの画像データを合成する。
【００６７】
また、３次元画像の画像データとして、複数の断層像のスタックデータを形成することも可能である。スタックデータは、複数のスキャンラインに沿って得られた複数の断層像を、スキャンラインの位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【００６８】
更に、データ処理部２３０は、２つの断層像（２次元の画像データ）に対する位置合わせを行って、位置合わせが行われた２つの断層像を合成し、１つの断層像を作成することが可能である。この場合、データ処理部２３０は、画像合成部２３２において、サブスキャン領域毎に作成された複数の断層像の位置合わせを行うことにより全スキャン領域の断層像を作成する。データ処理部２３０は、サブスキャン領域間の重複エリアにおける特徴部位が一致するように断層像間の位置合わせを行うことが可能である。また、データ処理部２３０は、眼底Ｅｆの特徴部位（層や血管）に基づいて断層像間の位置合わせを行ってもよい。
【００６９】
また、制御部２１０が移動機構１２０の制御と走査光学系の制御とを並行して行う場合、データ処理部２３０は、走査光学系の制御と並行して移動されている光学ユニット１１０により測定光が照射された被検眼Ｅの後眼部の複数の位置からの戻り光に基づいて断層像を形成することが可能である。
【００７０】
データ処理部２３０は、例えばマイクロプロセッサ及び記憶装置を含んで構成される。記憶装置には、データ処理プログラムがあらかじめ格納される。マイクロプロセッサがデータ処理用プログラムに従って動作することによってデータ処理の少なくとも一部が実行される。また、データ処理部２３０は、専用のハードウェアを含んで構成されてもよい。
【００７１】
また、データ処理部２３０は、各種のデータ処理を実行することが可能である。このようなデータ処理の例として、データ処理部２３０又は他の装置により形成された画像データに対する処理がある。この処理の例として、各種の画像処理や、画像データに基づく画像評価などの診断支援処理がある。データ処理部２３０は、眼科撮影装置１の一部であってもよいし、外部装置であってもよい。
【００７２】
（ユーザインターフェイス）
ユーザインターフェイス２４０は、表示機能と、操作・入力機能とを有する。表示機能は、液晶ディスプレイ（Ｌｉｑｕｉｄ  Ｃｒｙｓｔａｌ  Ｄｉｓｐｌａｙ：以下、ＬＣＤ）などの表示デバイスにより実現される。表示デバイスは、制御部２１０による制御の下に情報を表示する。表示デバイスには、画像形成部２２０により形成された画像データに基づく画像やデータ処理部２３０により形成された画像データに基づく画像が表示される。
【００７３】
操作・入力機能は、操作デバイスや入力デバイスにより実現される。これらの例として、ボタン、レバー、ノブ、マウス、キーボード、トラックボールなどがある。また、制御部２１０が表示デバイスにグラフィカルユーザーインターフェース（ＧＵＩ）を表示させる構成としてもよい。この表示デバイスは、タッチスクリーンであってよい。
【００７４】
<動作例>
眼科撮影装置１の動作例について説明する。
【００７５】
図４に、眼科撮影装置１の動作例のフロー図を示す。
【００７６】
（Ｓ１）
まず、ユーザインターフェイス２４０を用いてユーザにより撮影モードが指定されると、制御部２１０は、眼科撮影装置１の撮影モードをユーザにより指定された撮影モードに設定する。この撮影モードの設定には、ユーザにより指定された撮影モードにあらかじめ関連付けられた偏向パターン及び移動パターンの設定が含まれる。
【００７７】
（Ｓ２）
次に、制御部２１０は、固視標制御部１６０を制御することにより、固視系１５０により固視標を提示させる。
【００７８】
（Ｓ３）
次に、制御部２１０は、Ｓ１において設定された撮影モードに対応した移動パターンに従って駆動部１３０を制御することにより、移動機構１２０により光学ユニット１１０のスキャン中心位置を所定のチルト中心位置に移動させる。チルト中心位置は、移動パターンに従って移動される光学ユニット１１０の初期位置である。
【００７９】
（Ｓ４）
次に、制御部２１０は、アライメント系１７０に含まれるＸＹアライメントセンサー及びＺアライメントセンサーにより得られた検出信号に基づいて、当該チルト位置（移動機構１２０により移動された光学ユニット１１０の位置）が適正か否かを判定する。当該チルト位置が適正ではないと判定されたとき（Ｓ４：Ｎ）、制御部２１０による制御は、Ｓ５に移行する。当該チルト位置が適正であると判定されたとき（Ｓ４：Ｙ）、制御部２１０による制御は、Ｓ６に移行する。
【００８０】
（Ｓ５）
Ｓ４において当該チルト位置が適正ではないと判定されたとき（Ｓ４：Ｎ）、制御部２１０は、チルト位置を修正する。例えば、制御部２１０は、アライメント系１７０に含まれるＸＹアライメントセンサー及びＺアライメントセンサーにより得られた検出信号に基づいて、位置ずれをキャンセルするようにチルト位置を修正することが可能である。また、制御部２１０は、当該チルト位置に配置された光学ユニット１１０により取得されたデータ又は画像（観察像）からチルト位置を修正してもよい。その後、制御部２１０による制御は、Ｓ３に移行する。
【００８１】
（Ｓ６）
Ｓ４において当該チルト位置が適正であると判定されたとき（Ｓ４：Ｙ）、制御部２１０は、移動パターンに従って駆動部１３０を制御することにより移動機構１２０により光学ユニット１１０を移動させ、光学ユニット１１０により当該サブスキャン領域について得られたデータを部分エリアデータとして取得する。
【００８２】
（Ｓ７）
全スキャン領域のデータが取得されていないとき（Ｓ７：Ｎ）、制御部２１０による制御は、Ｓ４に移行する。全スキャン領域のデータが取得されたとき（Ｓ７：Ｙ）、制御部２１０による制御は、Ｓ８に移行する。
【００８３】
（Ｓ８）
全スキャン領域のデータが取得されたとき（Ｓ７：Ｙ）、制御部２１０は、データ処理部２３０によりサブスキャン領域毎に部分エリアデータに基づいてボリュームデータを形成し、形成された複数のボリュームデータの位置合わせを行う。例えば、上記のようにボリュームデータ間に重複エリアが含まれている場合、データ処理部２３０は、対応するボリュームデータの重複エリアの画像をマッチングさせることによりボリュームデータの位置合わせを行うことが可能である。また、データ処理部２３０は、各サブスキャン領域のスキャン時の光学ユニット１１０の位置と事前に設定された走査光学系の偏向角度範囲とから、ボリュームデータの領域の位置（部分エリアデータの基準位置）を特定し、特定されたボリュームデータの領域の位置を用いてボリュームデータの位置合わせを行ってもよい。
【００８４】
（Ｓ９）
データ処理部２３０は、Ｓ８において形成されたボリュームデータから画像データを形成する。制御部２１０は、ユーザインターフェイス２４０を用いてユーザにより指定された表示形態で、形成された画像データに基づいて所望の画像をユーザインターフェイス２４０に含まれる表示デバイスに表示させる。以上で、制御部２１０による制御は、終了する（エンド）。
【００８５】
［作用・効果］
眼科撮影装置１の作用及び効果について説明する。
【００８６】
実施形態に係る眼科撮影装置（眼科撮影装置１）は、光学ユニット（光学ユニット１１０）と、移動機構（移動機構１２０）と、制御部（制御部２１０）とを含む。光学ユニットは、ＯＣＴ光源（ＯＣＴ光源１４０）からの光を測定光と参照光とに分割し、測定光を被検眼（被検眼Ｅ）に照射し、その戻り光と参照光との干渉光を検出する干渉光学系と、測定光を所定の偏向角度範囲内で偏向する走査光学系とを含み、走査光学系により偏向された測定光を被検眼の後眼部に照射可能である。移動機構は、被検眼の瞳位置又はその近傍位置を基準に光学ユニットを所定の移動角度範囲内で移動させる。制御部は、走査光学系と移動機構とを連係して制御する。
【００８７】
このような構成によれば、走査光学系の偏向制御と移動機構の移動制御とを連係して制御することにより、広い視野で被検眼の断層像を簡便に取得することが可能となる。また、反射光学系の光学素子が有するような収差特性の影響を受けることなく、被検眼について高画質で広角の断層像を取得することができるようになる。
【００８８】
また、実施形態に係る眼科撮影装置では、移動機構は、瞳位置又はその近傍位置を中心に光学ユニットを旋回させてもよい。
【００８９】
このような構成によれば、被検眼の瞳孔を通して後眼部の広い範囲に測定光を照射して、広角の断層像を取得することができるようになる。
【００９０】
また、実施形態に係る眼科撮影装置では、制御部は、測定光を偏向するための既定の偏向パターンに基づいて走査光学系の制御を行い、光学ユニットを移動させるための既定の移動パターンに基づいて移動機構の制御を行ってもよい。
【００９１】
このような構成によれば、走査光学系と移動機構とに対して自動制御が可能となるので、高画質で広角の断層像を簡便に取得することができるようになる。
【００９２】
また、実施形態に係る眼科撮影装置では、制御部は、偏向パターンに基づき走査光学系を制御することにより測定光を１次元的又は２次元的に偏向させてもよい。また、実施形態に係る眼科撮影装置では、制御部は、後眼部における複数の領域を順次に走査するように走査光学系と移動機構とを連係して制御してもよい。
【００９３】
このような構成によれば、所望の走査態様により高画質で広角の断層像を取得することが可能となる。
【００９４】
また、実施形態に係る眼科撮影装置は、干渉光の検出結果に基づいて画像を形成する画像形成部（画像形成部２２０）を含み、制御部は、走査光学系の制御と移動機構の制御とを交互に実行することにより、走査光学系の制御を少なくとも２回実行し、移動機構の制御を少なくとも１回実行し、画像形成部は、少なくとも２回の走査光学系の制御により干渉光学系によって取得された少なくとも２つのデータセットに基づいて少なくとも２つの画像を形成し、画像形成部により形成された少なくとも２つの画像の相対位置を移動機構の制御内容に基づいて決定する画像位置決定部（画像位置決定部２３１）を含んでもよい。
【００９５】
このような構成によれば、走査光学系の制御により取得された２以上の断層像の相対位置を決定することが可能となり、これら２以上の断層像を関連付けることが可能になる。
【００９６】
また、実施形態に係る眼科撮影装置は、画像位置決定部により決定された相対位置に基づいて少なくとも２つの画像を合成する画像合成部（画像合成部２３２）を含んでもよい。
【００９７】
このような構成によれば、走査光学系の制御により取得された２以上の断層像の相対位置を決定することが可能となり、これら２以上の断層像を合成することで広角の断層像を取得することができる。
【００９８】
また、実施形態に係る眼科撮影装置は、被検眼の眼底に固視標を投影するための固視系（固視系１５０）を含んでもよい。また、実施形態に係る眼科撮影装置では、固視系は、光学ユニットに設けられていてもよい。また、実施形態に係る眼科撮影装置では、制御部は、移動機構の制御内容に応じて固視標の投影位置を変更するように固視系を制御してもよい。
【００９９】
このような構成によれば、固視系を含んで構成された光学ユニットを用いて、被検眼について高画質で広角の断層像を取得することが可能となる。
【０１００】
〔第２実施形態〕
第１実施形態では、測定ユニット１００が、１つの光学ユニット１１０を移動させる場合について説明したが、実施形態に係る眼科撮影装置の構成は、これに限定されるものではなく、測定ユニット１００は、複数の光学ユニットを有していてもよい。
【０１０１】
例えば、測定ユニット１００は、２以上の光学ユニット１１０を含むことが可能である。２以上の光学ユニット１１０は、例えば、移動機構１２０により互いに干渉しないように被検眼Ｅの瞳位置Ｐを基準に所定の移動角度範囲内で移動可能に構成される。２以上の光学ユニット１１０のうち少なくとも１つの移動角度範囲は他の光学ユニット１１０の移動角度範囲と異なってもよい。制御部２１０は、２以上の光学ユニット１１０のうち少なくとも１つにおける走査光学系と移動機構１２０とを連係して制御する。これにより、２以上の光学ユニット１１０の旋回と、走査光学系による偏向とを組み合わせることにより、眼底Ｅｆにおける広範囲のスキャンが可能となる。
【０１０２】
また、２以上の光学ユニット１１０のうちその一部である複数の光学ユニットが、移動機構１２０により連係して移動可能に構成されてもよい。この場合、２以上の光学ユニット１１０の一部である複数の光学ユニットが、移動機構１２０により一体的に移動可能に構成されたり、互いに独立して移動可能に構成されたりしてもよい。これらの場合でも、制御部２１０は、２以上の光学ユニット１１０のうち少なくとも１つにおける走査光学系と移動機構１２０とを連係して制御する。これにより、２以上の光学ユニット１１０の旋回と、走査光学系による偏向とを組み合わせることにより、眼底Ｅｆにおける広範囲のスキャンが可能となる。
【０１０３】
また、２以上の光学ユニット１１０には、例えば、固定された光学ユニット（移動機構１２０により移動させることが不可能な光学ユニット）が含まれていてもよい。この場合でも、制御部２１０は、２以上の光学ユニット１１０のうち少なくとも１つにおける走査光学系と移動機構１２０とを連係して制御する。これにより、２以上の光学ユニット１１０の少なくとも１つの旋回と、走査光学系による偏向とを組み合わせることにより、眼底Ｅｆにおける広範囲のスキャンが可能となる。
【０１０４】
また、制御部２１０は、被検眼Ｅの後眼部の所定領域を走査するように２以上の光学ユニット１１０からの２以上の光の照射位置を移動させることが可能である。例えば、２以上の光学ユニット１１０により互いに異なるサブスキャン領域内で光の照射位置を移動させることにより、高速化を図ることができる。
【０１０５】
図５に、この実施形態に係る走査態様の一例を示す。図５は、測定ユニット１００が２つの光学ユニット１１０を有する場合の走査態様の一例を表す。なお、図５において、図３と同様の部分には同一符号を付し、適宜説明を省略する。
【０１０６】
制御部２１０は、既定の移動パターンに従って移動機構１２０を制御することにより、２つの光学ユニット１１０により走査される領域として、互いに異なる行方向に並ぶサブスキャン領域に順次に移動させてもよい。例えば、制御部２１０は、２つの光学ユニット１１０の一方についてサブスキャン領域ＳＲ１、ＳＲ２、ＳＲ３、・・・に順次に移動させ、他方についてサブスキャン領域ＳＲ１１、ＳＲ１２、ＳＲ１３、・・・に順次に移動させる。このとき、移動パターンにより、移動前のサブスキャン領域の一部に重複するように次のサブスキャン領域に移動させる（重複エリアＣＲ１、ＣＲ２、・・・、ＣＲ１１、ＣＲ１２、・・・）。また、制御部２１０は、移動パターンにより、隣接する列方向のサブスキャン領域の一部に重複するようにサブスキャン領域に移動させる（重複エリアＣＲ０１、ＣＲ０２、・・・）。制御部２１０は、偏向パターンに基づいて、各サブスキャン領域（被検眼Ｅの後眼部の所定領域）をラスター走査するように測定光の照射位置を移動させる。
【０１０７】
また、制御部２１０は、２つの光学ユニット１１０の一方についてサブスキャン領域ＳＲ１、ＳＲ１２、ＳＲ３、・・・の順序で移動させ、他方についてサブスキャン領域ＳＲ１１、ＳＲ２、ＳＲ１３、・・・の順序で移動させ、２つの光学ユニット１１０が移動されるサブスキャン領域の行を交互に切り替えてもよい。
【０１０８】
［作用・効果］
この実施形態に係る眼科撮影装置の作用及び効果について説明する。
【０１０９】
この実施形態に係る眼科撮影装置は、２以上の光学ユニットを含み、移動機構は、２以上の光学ユニットのうち少なくとも１つを瞳位置又はその近傍位置を基準に移動角度範囲内で移動させ、制御部は、２以上の光学ユニットのうち少なくとも１つにおける走査光学系と移動機構とを連係して制御してもよい。
【０１１０】
また、制御部は、後眼部の所定領域を走査するように２以上の光学ユニットからの２以上の光の照射位置を移動させてもよい。
【０１１１】
このような構成によれば、２以上の光学ユニットにより後眼部の所定範囲について並行して走査することができるので、被検眼の後眼部の広い範囲を高速に走査することが可能となる。
【０１１２】
〔第３実施形態〕
上記の実施形態では、光学ユニット１１０がＯＣＴ光学系１１１を備える場合について説明したが、実施形態に係る眼科撮影装置の構成はこれに限定されるものではない。光学ユニット１１０は、ＯＣＴ光学系１１１に加えて、ＳＬＯ光学系を備え、被検眼Ｅの眼底Ｅｆの断層像に加えて眼底Ｅｆの正面画像であるＳＬＯ画像の取得が可能であってもよい。
【０１１３】
図６に、この実施形態に係る眼科撮影装置の概略構成の機能ブロック図を示す。図６において、図１と同様の部分には同一符号を付し、適宜説明を省略する。
【０１１４】
第３実施形態に係る眼科撮影装置１ａの構成が第１実施形態に係る眼科撮影装置１の構成と異なる点は、光学ユニット１１０ａにＳＬＯ光学系１１２が追加された点と、測定ユニット１００ａにＳＬＯ光源１８０が追加された点である。なお、処理ユニット２００ａは、ＯＣＴ光学系１１１等に対する制御に加えて、追加されたＳＬＯ光学系１１２等の制御も行うように変更されている。
【０１１５】
このような眼科撮影装置１ａは、被検眼Ｅの眼底Ｅｆの断層像に加えて、被検眼Ｅの後眼部をレーザー光でスキャンしてデータを取得し、この取得されたデータに基づいて眼底Ｅｆの正面画像を形成する装置である。
【０１１６】
ＳＬＯ光学系１１２は、走査光学系と、投影系と、受光系とを含む。走査光学系は、ＳＬＯ光源１８０からの光を所定の偏向角度範囲内で偏向する。走査光学系は、ＳＬＯ光源１８０からの光を所定の偏向角度範囲内で２次元的に偏向するが、ＳＬＯ光源１８０からの光を所定の偏向角度範囲内で１次元的に偏向するよう構成されてもよい。このような走査光学系は、ＯＣＴ光学系１１１が備える走査光学系と同様に、光スキャナーを含んでもよい。
【０１１７】
投影系は、走査光学系により偏向されたＳＬＯ光源１８０からの光を被検眼Ｅの後眼部（たとえば、眼底Ｅｆ）に照射するための光学素子により構成された光学系である。投影系には、例えば、被検眼Ｅ側から順に、対物レンズ、ビームエキスパンダー、走査光学系、ビームスプリッター、開口絞り、及びコリメートレンズが設けられている。
【０１１８】
受光系は、投影系により照射された光に対する被検眼Ｅの後眼部からの戻り光を受光するための光学素子により構成された光学系である。受光系には、例えば、被検眼Ｅ側から順に、対物レンズ、ビームエキスパンダー、走査光学系、ビームスプリッター、集光レンズ、共焦点ピンホール、及び受光素子が設けられている。受光素子には、ＳＬＯ光源１８０から出力される光に応じて、可視領域や赤外領域に感度を有するものが用いられる。
【０１１９】
ＳＬＯ光源１８０は、被検眼Ｅの後眼部に照射するためのレーザー光を出力する。ＳＬＯ光源１８０としては、空間的コヒーレンシの高いレーザー光を出力する光源が用いられる。このようなＳＬＯ光源１８０には、半導体レーザー光源（波長掃引レーザー、スーパルミネッセントダイオードなど）、固体レーザー、ガスレーザー、ファイバレーザーなどがある。なお、ＳＬＯ光源１８０として、複数の光源を光ファイバ合波器やダイクロイックミラーなどの合波器により合成して用いるものを適用することも可能である。この実施形態では、光ファイバによりレーザー光を光学ユニット１１０に導く。
【０１２０】
上記の構成においては、ＳＬＯ光源１８０により出力されるレーザー光の波長は任意である。例えば、ＳＬＯ光源１８０により出力されるレーザー光として、赤外レーザー光や可視レーザー光を用いることができる。また、波長帯が異なるレーザー光を選択的に出力可能に構成することも可能である。例えば、赤外レーザー光と可視レーザー光とを選択的に出力可能な構成を適用できる。
【０１２１】
以上のような構成を有する測定ユニット１００ａにおいて、ＳＬＯ光源１８０から出力されたレーザー光は、移動機構１２０により移動された光学ユニット１１０ａにより２次元的に偏向され、光学ユニット１１０ａの光軸方向から被検眼Ｅの瞳孔を通過して眼底Ｅｆに照射される。具体的には、被検眼Ｅに入射したレーザー光は、被検眼Ｅの前眼部にて散乱される。また、被検眼Ｅに入射したレーザー光の一部は、瞳孔を通過し、眼底Ｅｆにスポット光として結像される。
【０１２２】
眼底Ｅｆに照射されたレーザー光の戻り光は、スポット光の形成位置（及びその近傍位置）から光学ユニット１１０ａに戻ってくる光である。戻り光には、眼底Ｅｆによるレーザー光の散乱光（反射光や後方散乱光）、並びに、レーザー光を励起光とする蛍光及びその散乱光などが含まれる。戻り光は、瞳孔を通過し、被検眼Ｅから出射する。
【０１２３】
光学ユニット１１０ａにおいて、被検眼Ｅからの戻り光は、ＳＬＯ光学系１１２の受光系に導かれる。受光系に導かれた戻り光は、受光素子により検出される。受光素子は、検出された戻り光を光電変換し、電気信号（受光信号）を出力する。
【０１２４】
以上のプロセスは、眼底Ｅｆの一点の計測に相当し、眼底Ｅｆに対する単一のスポット光の照射領域における計測に相当する。この実施形態では、移動機構１２０により光学ユニット１１０ａを瞳位置Ｐを中心に（１次元的、２次元的又は３次元的に）旋回しつつ、この光学ユニット１１０ａ内のＳＬＯ光学系１１２の走査光学系による（１次元的又は２次元的な）偏向を行うことによって、眼底Ｅｆにおけるスポット光の照射領域が移動される。つまり、この実施形態では、移動機構１２０による光学ユニット１１０ａの旋回と、ＳＬＯ光学系１１２の走査光学系による偏向とを組み合わせることにより、眼底Ｅｆのスキャンが実行される。
【０１２５】
眼底Ｅｆの光学的計測が行われているときに、又は光学的計測が終了した後に、制御部２１０ａは、画素位置信号を生成し、画像形成部２２０ａやデータ処理部２３０ａに送る。画素位置信号は、光学ユニット制御用プログラムに基づく複数のスポット光の照射領域の配置（つまり、ＳＬＯ光学系１１２の走査光学系による光の偏向パターン）に対応する複数の画素の配置を示す。処理ユニット２００ａに設けられた画像形成部２２０ａは、眼底Ｅｆの断層像に加えて、ＳＬＯ光学系１１２の受光系の受光素子から入力される受光信号と、制御部２１０ａから入力される画素位置信号とに基づいて、被検眼Ｅの後眼部のＳＬＯ画像（正面画像）を形成する。
【０１２６】
この実施形態においても、画像位置決定部２３１は、複数のサブスキャン領域に対するスキャンにより得られた眼底Ｅｆの複数のＳＬＯ画像の相対位置を決定する。サブスキャン領域間の移動は、上記のように制御部２１０ａが移動パターンに基づいて移動機構１２０を制御することにより行われる。画像位置決定部２３１は、移動機構１２０に対する制御部２１０ａの制御内容からサブスキャン領域間の移動量及び移動方向を特定することが可能である。画像位置決定部２３１は、特定された移動量及び移動方向に基づいて、複数のサブスキャン領域のそれぞれをスキャンすることにより得られた複数のＳＬＯ画像の相対位置を決定する。画像合成部２３２は、複数のＳＬＯ画像の相対位置に基づいて１つのＳＬＯ画像に合成する。このとき、画像合成部２３２は、前述のように位置合わせを行って２つのＳＬＯ画像を合成することが可能である。
【０１２７】
また、データ処理部２３０ａは、各サブスキャン領域のデータ取得タイミングの違いを考慮して動画像を生成することが可能である。例えば、データ処理部２３０ａは、所定の時間だけサブスキャン領域毎に取得された画像（データ）を基準となるデータ取得タイミングとのタイミング差に関連付けて記憶する。基準となるデータ取得タイミングの例として、動画像の先頭フレームの画像を構成する複数のサブスキャン領域のうち最初に取得されたサブスキャン領域のデータ取得タイミングなどがある。データ処理部２３０ａは、動画像の生成対象のサブスキャン領域のデータ取得タイミングのタイミング差がキャンセルされるように各サブスキャン領域において取得された画像を読み出し、読み出された画像位置合わせを行うことにより、動画像を構成する各フレームの画像を生成する。
【０１２８】
この実施形態において、ＯＣＴ光学系１１１を用いた眼底Ｅｆの断層像の取得と平行して、ＳＬＯ光学系１１２を用いた眼底ＥｆのＳＬＯ画像の取得を実行することが可能である。ＯＣＴ光学系１１１を用いてサブスキャン領域をスキャンすることにより得られた複数の断層像は、平行して得られたＳＬＯ画像を用いて位置合わせが行われてもよい。
【０１２９】
〔その他〕
実施形態に係る眼科撮影装置は、例えば、可視光をフラッシュ発光して得られるカラー画像、近赤外光若しくは可視光を照明光として用いたモノクロの静止画像、フルオレセイン蛍光画像、インドシアニングリーン蛍光画像、自発蛍光画像などの取得が可能な眼底撮影装置や、血管造影や血流測定が可能な装置に適用することも可能である。
【０１３０】
また、ユーザインターフェイス２４０を用いてユーザによりサブスキャン領域のサイズや形状の変更が可能にしてもよい。この場合、制御部２１０ａは、変更されたサブスキャン領域のサイズや形状に応じて移動パターンを変更し、変更された移動パターンに従って移動機構１２０により光学ユニット１１０を移動させてもよい。
【０１３１】
また、制御部２１０ａは、光学ユニット１１０の光軸の向き（撮影方向）に応じて、光学ユニット１１０の旋回中心の位置をシフトさせるようにしてもよい。
【０１３２】
以上に説明した構成は、この発明を好適に実施するための一例に過ぎない。よって、この発明の要旨の範囲内における任意の変形（省略、置換、付加など）を適宜に施すことが可能である。
【符号の説明】
【０１３３】
１、１ａ  眼科撮影装置
１００、１００ａ  測定ユニット
１１０、１１０ａ  光学ユニット
１１１  ＯＣＴ光学系
１１２  ＳＬＯ光学系
１２０  移動機構
１３０  駆動部
１４０  ＯＣＴ光源
１５０  固視系
１６０  固視標制御部
１７０  アライメント系
２００、２００ａ  処理ユニット
２１０、２１０ａ  制御部
２２０、２２０ａ  画像形成部
２３０、２３０ａ  データ処理部
２３１  画像位置決定部
２３２  画像合成部
２４０  ユーザインターフェイス
Ｅ  被検眼
Ｅｆ  眼底
【図１】
0006685125.tif 000002
【図２】
0006685125.tif 000003
【図３】
0006685125.tif 000004
【図４】
0006685125.tif 000005
【図５】
0006685125.tif 000006
【図６】
0006685125.tif 000007